(57)【要約】【課題】従来の巻き尺等のメジャーや、あるいは従来の目盛付きベルトでは、腹囲が何センチ（または何ミリ）であるかは把握することができるが、その腹囲がいったいどの程度の肥満度レベルに相当するのかが一目で分からない。【解決手段】そこで本発明では、ベルト１のバックル９側の基点１１からの距離に対応させて、ベルト本体２の裏側に、所望の腹囲の範囲に対応する腹囲対応表示４を設け、腹囲対応表示は、腹囲レベルに対応する目盛５と、腹囲レベルに対応して目盛区間を区切って形成した適数の腹囲レベル表示区画７と、腹囲レベル表示区画内に表示した腹囲レベル表示マーク８とから構成される健康管理補助ベルトを提案する。【選択図】図１
2009299204.tif 000002
【特許請求の範囲】
【請求項１】
ベルトのバックル側の基点からの距離に対応させて、ベルト本体の裏側に、所望の腹囲の範囲に対応する腹囲対応表示を設け、腹囲対応表示は、腹囲レベルに対応する目盛と、腹囲レベルに対応して目盛区間を区切って形成した適数の腹囲レベル表示区画と、腹囲レベル表示区画内に表示した腹囲レベル表示マークとから構成されることを特徴とする健康管理補助ベルト。
【請求項２】
バックル側の基点は、ベルト本体のバックル取付け端であることを特徴とする請求項１に記載の健康管理補助ベルト。
【請求項３】
バックル側の基点は、ベルト本体のバックル取付け端よりも、バックル先端側の適所に位置させたことを特徴とする請求項１に記載の健康管理補助ベルト。
【請求項４】
腹囲レベル表示区画は、腹囲レベルに対応して、色を変化させたことを特徴とする請求項１に記載の健康管理補助ベルト。
【請求項５】
腹囲レベル表示区画は、腹囲レベルに対応して、色の濃淡を変化させたことを特徴とする請求項１又は４に記載の健康管理補助ベルト。
【請求項６】
腹囲レベル表示マークは、腹囲レベルに対応して表情を変化させた顔型グラフの顔マークから構成されることを特徴とする請求項１、４又は５に記載の健康管理補助ベルト。
【請求項７】
腹囲レベル表示マークは、腹囲レベルに対応して体型を変化させた体型グラフの体型マークから構成されることを特徴とする請求項１、４又は５に記載の健康管理補助ベルト。
【請求項８】
腹囲レベル表示マークは、腹囲レベルに対応して、色を変化させたことを特徴とする請求項１、４〜７までのいずれか１項に記載の健康管理補助ベルト。
【請求項９】
腹囲レベル表示マークは、腹囲レベルに対応して、色の濃淡を変化させたことを特徴とする請求項１、４〜７までのいずれか１項に記載の健康管理補助ベルト。
【発明の詳細な説明】
【技術分野】
【０００１】
本発明は、ズボンやスラックス、パンツ等のウエストに装着する健康管理補助ベルトであって、装用時に腹囲（へそ周りサイズ）が計測できたり、また肥満度レベルが、直感的な表示により分かり、従って健康管理に大いに役立つ健康管理補助ベルトに関するものである。
【背景技術】
【０００２】
肥満、とりわけ内臓脂肪型肥満を防止することは、健康維持のための重要な要件であり、例えばいわゆるメタボ検診の義務化により、最近の健康診断では、この肥満度を腹囲によって判定し、男性では８５ｃｍ以上、女性は９０ｃｍ以上の人に対して、肥満状態であると警告し、肥満を抑えるよう注意を促している。
【０００３】
このように腹囲を把握する方法としては、従来より、巻き尺等のメジャーをへそ周りに当てて行っており、したがって、常日頃、自分の腹囲を把握して、健康管理をしっかり行おうとすると、メジャーをいつも手の届くようにしておく必要がある。しかしながら、旅行等に出かけるさいには、携行するのを忘れてしまったり、あるいは荷物になって煩わしい等の問題点がある。また、メジャーで腹囲を計ること自体も忘れてしまうこともある。
【０００４】
メジャーによるこのような問題点を解決するものとして、例えば図８に示す特許文献１の目盛付きベルトがある。これはベルト１００の表（または裏）に目盛１０１を付け、このベルト１００を装着すると、ウエストのサイズがセンチメートル（またはミリメートル）単位で分かるものである。ちなみに、符号１０２はバックル、１０３はバックルのピン、１０４はピン１０３の挿通孔である。
【特許文献１】特開平９−３１０２１４号公報
【発明の開示】
【発明が解決しようとする課題】
【０００５】
従来の巻き尺等のメジャーや、あるいは特許文献１の目盛付きベルトによる腹囲そして肥満度の計測では、腹囲が何センチ（または何ミリ）であるかは把握することができるが、その腹囲がいったいどの程度の肥満度レベルに相当するのかが一目で分からず、したがって例えば、別途、腹囲と肥満度とを対応させた換算表等を用意して、計測した腹囲をその換算表に当てはめて、肥満度レベルを把握する等を行う必要があり、手間がかかるという問題点がある。加えてメジャーをいつも手の届くようにしておく必要がある等、メジャーの管理が面倒である等の問題点もある。本発明はこのような課題を解決することを目的とするものである。
【課題を解決するための手段】
【０００６】
以上の課題を解決するために，本発明では、ベルトのバックル側の基点からの距離に対応させて、ベルト本体の裏側に、所望の腹囲の範囲に対応する腹囲対応表示を設け、腹囲対応表示は、腹囲レベルに対応する目盛と、腹囲レベルに対応して目盛区間を区切って形成した適数の腹囲レベル表示区画と、腹囲レベル表示区画内に表示した腹囲レベル表示マークとから構成される健康管理補助ベルトを提案する。
【０００７】
また本発明では、上記の構成において、バックル側の基点は、ベルト本体のバックル取付け端や、ベルト本体のバックル取付け端よりも、バックル先端側の適所に位置させることを提案する。
【０００８】
また本発明では、上記の構成において、腹囲レベル表示区画は、腹囲レベルに対応して、色を変化させた健康管理補助ベルトを提案する。
【０００９】
また本発明では、上記の構成において、腹囲レベル表示区画は、腹囲レベルに対応して、色の濃淡を変化させることを提案する。
【００１０】
また本発明では、上記の構成において、腹囲レベル表示マークは、腹囲レベルに対応して表情を変化させた顔型グラフの顔マークから構成されることを提案する。
【００１１】
また本発明では、上記の構成において、腹囲レベル表示マークは、腹囲レベルに対応して体型を変化させた体型グラフの体型マークから構成されることを提案する。
【００１２】
また本発明では、上記の構成において、腹囲レベル表示マークは、腹囲レベルに対応して、色を変化させることを提案する。
【００１３】
また本発明では、上記の構成において、腹囲レベル表示マークは、腹囲レベルに対応して、色の濃淡を変化させることを提案する。
【発明の効果】
【００１４】
本発明の健康管理補助ベルトは、ズボンやスラックス、パンツ等のウエストに通常のベルトと全く変わることなく装着して使用することができ、そして使用者は、装用状態において、バックルを裏返して、計測基点に位置する腹囲対応表示を視認することにより、自分の腹囲レベルを知ることができる。
【００１５】
腹囲対応表示は、腹囲レベルに対応する目盛と、腹囲レベルに対応して目盛区間を区切って形成した適数の腹囲レベル表示区画と、腹囲レベル表示区画内に表示した腹囲レベル表示マークとから構成すれば、目盛により腹囲を数値的に知ることができると共に、腹囲レベル表示区画内に表示された腹囲レベル表示マークにより、その腹囲レベル、又は肥満度レベルがどの段階にあるかを一目で知ることができる。
【００１６】
例えば、腹囲レベル表示マークは、腹囲レベルに対応して表情を変化させた顔型グラフの顔マークから構成したり、又は腹囲レベルに対応して体型を変化させた体型グラフの体型マークから構成すれば、表情や体型により直感的に肥満度を把握することができる。
【００１７】
これらの腹囲レベル表示マーク又はこの腹囲レベル表示マークを表している腹囲レベル表示区画自体は、腹囲レベルに対応して、色を変化させたり、又は色と共に濃淡を変化させれば、肥満度レベルがどの段階にあるかが更に直感的に一目で分かり、その直感的に感じられた安全や危険等の意識が、自分の健康維持に対する啓蒙となり、健康管理に大いに役立つこととなる。
【００１８】
そして本発明では、巻き尺等のメジャーを、別途用意する必要が無いので、健康管理を簡素化することができ、利用の可能性は非常に大である。
【００１９】
ここで、バックル側の基点は、バックルの構造に応じて、ベルト本体のバックル取付け端や、ベルト本体のバックル取付け端よりも、バックル先端側の適所に位置させるようにすることにより、バックルの構造に係わらず、計測基点に位置する腹囲対応表示を良好に視認することができる。
【発明を実施するための最良の形態】
【００２０】
次に、本発明を実施するための最良の形態を図１〜図５を参照して説明する。なお、図１と図４はともに平面図であり、図２と図３は要部の斜視図であり、図５は要部の拡大図である。
図に示すように、本発明の健康管理補助ベルト１は、ベルト本体２のバックル９側の基点１１からの距離に対応させて、ベルト本体２の裏側に、所望の腹囲の範囲に対応する腹囲対応表示４を設け、腹囲対応表示４は、腹囲レベルに対応する目盛５と、腹囲レベルに対応して目盛区間６を区切って形成した適数の腹囲レベル表示区画７と、腹囲レベル表示区画７内に表示した腹囲レベル表示マーク８とから構成されるものである。尚、符号９はバックルを示すもので、また符号１５は基点１１からの距離に対応する数値を示すものである。
【００２１】
図１に示す実施の形態では、腹囲計測用目盛５は、ベルト本体２のバックル取付け端１０を基点１１として、８０ｃｍから１ｃｍ刻みに設け、１１０ｃｍまでの目盛区間６を設けている。さらにその目盛区間６を腹囲レベルに対応させて、８０ｃｍから５ｃｍごとに区切って６個の腹囲レベル表示区画７を設けるとともに、各腹囲レベル表示区画７の境界には、８０，８５、９０・・・と１１０までの腹囲値を表示している。
【００２２】
なお、腹囲対応表示４はベルト本体２の裏側３の長さ方向に見易く設ければ良く、また、腹囲計測用目盛５はミリメートル単位でも良いし、目盛区間６は例えば７５ｃｍから１２０ｃｍとして、これを５ｃｍごとに区切って、腹囲レベル表示区画７を８個としても良いことはもちろんである。
【００２３】
健康管理補助ベルト１を、ズボンやスラックス、パンツ等（図示省略）のウエストに装着して、装用状態にすると、図２に示すように、基点１１が腹囲に対応する目盛指示点１２になり、しかも基点１１、そして目盛指示点１２は腹のへそのあたりに位置するので、バックル９の部分を裏返して、基点１１に位置する腹囲対応表示４を視認することにより、自分の腹囲レベルを知ることができる。特に、本実施の形態においては、腹囲レベルに応じた腹囲対応表示４に、腹囲レベルに対応して表情を変化させた顔型グラフの顔マークから成る腹囲レベル表示マーク８を構成し、人の表情の笑顔や泣き顔で表現しているので、たいへんわかりやすくしかも直感的に肥満度を把握することができる。
【００２４】
図３に示すようなバックル形状の場合においては、バックル取付け端１０近傍の腹囲対応表示４が見にくいので、バックル取付け端１０を基点１１、そして腹囲に対応する目盛指示点１２としないで、腹囲に対応する目盛指示点１２を、ベルト本体２のバックル取付け端１０よりも、バックル先端側の適所、例えば本実施の形態のように、先端に位置させて、その目盛指示点１２を基点１１として、腹囲計測用目盛５を形成すれば、目盛指示点１２に対応する腹囲対応表示４の目盛や腹囲値、腹囲レベル表示マーク８を見やすくすることができる。
【００２５】
図４はピンタイプのバックル９を有する健康管理補助ベルト１の実施の形態を示すもので、ベルト本体２にはバックル９のピン１３を挿通するための孔１４を設けている。
【００２６】
上述した腹囲レベル表示マーク８は、図に示すように、腹囲レベルに対応して表情を変化させた顔型グラフの顔マークから構成する他、腹囲レベルに対応して体型を変化させた体型グラフの体型マークから構成することもでき、いずれの場合においても、これらの表情や体型により直感的に肥満度を把握することができる。
【００２７】
これらの腹囲レベル表示マーク８、又はこの腹囲レベル表示マーク８を表している腹囲レベル表示区画７自体は、腹囲レベルに対応して、色を変化させたり、又は色と共に濃淡を変化させれば、肥満度レベルがどの段階にあるかが更に直感的に一目で分かり、その直感的に感じられた安全や危険等の意識が、自分の健康維持に対する啓蒙となり、健康管理に大いに役立つこととなる。
【００２８】
例えば図６は腹囲レベル表示マーク８を表している腹囲レベル表示区画７自体を、腹囲レベルに対応して、色を変化させたり、又は色と共に濃淡を変化させた状態を模式的に示す図であり、また図７は腹囲レベル表示マーク８を、腹囲レベルに対応して、色を変化させたり、又は色と共に濃淡を変化させた状態を模式的に示す図である。
【００２９】
尚、バックル９は嵌合式や摩擦係合式等構成は適宜であり、またベルト本体１も、バックル９に対応して有孔式、無孔式等適宜であるが、無段階位置で固定して装用できるような構造の場合には、有孔式のように段階位置で固定するもののように、きつく締め付けることによる腹囲計測の誤差を防ぐことができるので、この点においては無段階位置で固定して装用できるような構造の方が有利である。
【産業上の利用可能性】
【００３０】
以上のように、本発明の健康管理補助ベルトは、通常のベルトと同様にウエストに装着するだけで、腹囲そして肥満度レベルが一目でわかり、しかも顔型グラフ等の腹囲レベル表示マークにより直感的に把握できるので、健康増進に大いに役立つとともに、この健康管理補助ベルトを使用すれば、巻き尺等のメジャーを、別途用意する必要が無いので、健康管理を簡素化することができ、その産業上の利用可能性はきわめて大である。
【図面の簡単な説明】
【００３１】
【図１】本発明に係る健康管理補助ベルトの一形態を示す平面図である。
【図２】本発明に係る健康管理補助ベルトの一形態を示す要部斜視図である。
【図３】本発明に係る健康管理補助ベルトの一形態を示す要部斜視図である。
【図４】本発明に係る健康管理補助ベルトの一形態を示す平面図である。
【図５】要部の模式的拡大平面図である。
【図６】他例の要部の模式的拡大平面図である。
【図７】更に他例の要部の模式的拡大平面図である。
【図８】従来例の説明図である。
【符号の説明】
【００３２】
１                健康管理補助ベルト
２                健康管理補助ベルト１の本体
３                ベルト本体２の裏側
４                腹囲対応表示
５                腹囲計測用目盛
６                目盛区間
７                腹囲レベル表示区画
８                腹囲レベル表示マーク
９                バックル
１０              ベルト本体２のバックル取付け端
１１              腹囲計測用目盛５の基点
１２              腹囲に対応する目盛指示点
１３              バックル９のピン
１４              ピン１３の挿通孔
１５              数値
１００            従来例のベルト
１０１            目盛
１０２            バックル
１０３            ピン
【図１】
2009299204.tif 000003
【図２】
2009299204.tif 000004
【図３】
2009299204.tif 000005
【図４】
2009299204.tif 000006
【図５】
2009299204.tif 000007
【図６】
2009299204.tif 000008
【図７】
2009299204.tif 000009
【図８】
2009299204.tif 000010